(57)【要約】【課題】  紙を裁断処理するとともに、記録されていたデータを読み取り不可能、再生不可能な状態にしてＣＤを廃棄処理するシュレッダーにおいて、カッター機構部を通過してきた処理済の紙、処理済のＣＤを廃棄するにあたって分別する手間が不要なシュレッダーを提供する。【解決手段】  上側が開口している箱体の当該開口部に、第一のカッター機構と第二のカッター機構とがそれぞれ下側に配備されている第一の投入溝と第二の投入溝とが並列して備えられている蓋部材が装着され、前記２つの投入溝の中の第一の投入溝は蓋部材の中央部側に設けられており、第二の投入溝及びその下側に配備されている第二のカッター機構の下側に、当該第二のカッター機構を通過してきた処理済物を収容する処理済物収容箱体が配備されているシュレッダー。【選択図】  図２
2006167563.tif 000002
【特許請求の範囲】
【請求項１】
上側が開口している箱体の当該開口部に、第一のカッター機構と第二のカッター機構とがそれぞれ下側に配備されている第一の投入溝と第二の投入溝とが並列して備えられている蓋部材が装着されてなるシュレッダーであって、前記２つの投入溝の中の第一の投入溝は蓋部材の中央部側に設けられており、第二の投入溝及びその下側に配備されている第二のカッター機構の下側に、当該第二のカッター機構を通過してきた処理済物を収容する処理済物収容箱体が配備されていることを特徴とするシュレッダー。
【請求項２】
処理済物収容箱体の前記蓋部材において第二の投入溝が配備される側の側壁は、前記箱体において第二の投入溝が配備される側の側壁の一部を構成すると共に、当該処理済物収容箱体の側壁の上側の縁部が、当該側壁の下側の縁部を中心として、前記箱体において第二の投入溝が配備される側の側壁から離れる外側方向に向けて回動可能に、前記箱体において第二の投入溝が配備される側の側壁に取り付けられていることを特徴とする請求項１記載のシュレッダー。
【請求項３】
第一のカッター機構は処理対象物を裁断するカッター機構であり、第二のカッター機構は、処理対象物を裁断する及び／又は処理対象物の表面に傷をつけるカッター機構であることを特徴とする請求項１又は２記載のシュレッダー。
【発明の詳細な説明】
【技術分野】
【０００１】
この発明はシュレッダーに関し、特に、それぞれ下側にカッター機構を備えている２条の投入口が並列して設けられていて、裁断などの処理が行われた処理済物を、各カッター機構ごとに分別して廃棄することに適したシュレッダーに関する。
【背景技術】
【０００２】
従来から、紙（文書などの書類）を裁断処理するシュレッダーについては種々提案されているところであるが（例えば、特開昭５４−４０３７６号公報）、近年は、クレジットカードなどのように、磁気テープが貼り付けされている合成樹脂性カードや、ＩＣチップが埋め込まれている合成樹脂性カードなどのように、各種の個人情報が記録されている合成樹脂性カードを廃棄するにあたって、個人情報が漏洩しないように、このようなカードを短冊状に裁断するカード裁断装置も提案されている（例えば、特開２００１−３００３３４）。
【特許文献１】特開２００１−３００３３４
【特許文献２】特開昭５４−４０３７６号公報
【発明の開示】
【発明が解決しようとする課題】
【０００３】
近年では、コンパクトディスク（以下、単に「ＣＤ」と表すことがある。）や、デジタル多用途ディスク（以下、単に「ＤＶＤ」と表すことがある。）が、音楽、映像のみ成らず、種々のデジタル情報を記録する電磁気録媒体として日常的に使用されるようになっている。
【０００４】
ＣＤやＤＶＤも従来の合成樹脂製のクレジットカードと同じく、合成樹脂を主体として形成されるもので、ポリカーボネートなどの合成樹脂からなる円盤に、光学的読みとり可能なように、アルミニウム蒸着膜などが成膜され、更に、合成樹脂製の保護層、印字膜層などが積層されて形成されている。
【０００５】
ＣＤやＤＶＤのような記録媒体がオフィスにおいて日常的に多数使用されるようになる中で、企業・社会の日常的な活動において、文書などの書類を廃棄する際に裁断処理するだけでなく、ＣＤやＤＶＤのような合成樹脂を主体として形成されている記録媒体についても、記録されていたデータを読み取り不可能、再生不可能な状態にして廃棄処理することが要請される局面が増えている。
【０００６】
前述したように、従来から、クレジットカードのような合成樹脂製カードを、記録されていたデータを読み取り不可能、再生不可能にして廃棄するシュレッダーが提案されており、一方、紙（文書などの書類）を廃棄するために裁断処理するシュレッダーは従来から種々提案されているところであるから、一方で、ＣＤやＤＶＤなどを、記録されていたデータを読み取り不可能、再生不可能な状態にして廃棄処理し、他方で、紙（文書などの書類）を裁断処理するという両方の目的に応えるために、従来公知のシュレッダーを組み合わせて、ＣＤやＤＶＤなどの記録媒体廃棄処理用のカッター機構部と、紙（文書などの書類）を裁断処理するカッター機構部とをそれぞれ備えているシュレッダーを準備することが考えられる。
【０００７】
例えば、特開昭５４−４０３７６号公報には、上側が開口している箱体の当該開口部に、第一のカッター機構と第二のカッター機構とがそれぞれ下側に配備されている第一の投入溝と第二の投入溝とが並列して備えられている蓋部材が装着されてなるシュレッダーが提案されており、ここでは、第一の投入溝及び第一のカッター機構は薄紙用、第二の投入溝及び第二のカッター機構は厚紙用に配備されている。
【０００８】
そこで、例えば、特開昭５４−４０３７６号公報提案のシュレッダーにおいて、第一の投入溝及び第一のカッター機構を紙（文書などの書類）の裁断処理用とし、第二の投入溝及び第二のカッター機構を、特開２００１−３００３３４公報記載の発明を利用して、ＣＤやＤＶＤのような合成樹脂を主体として形成されている記録媒体の廃棄処理用にすることが考えられる。
【０００９】
しかし、紙（文書などの書類）と、ＣＤやＤＶＤのような合成樹脂を主体として形成されている記録媒体とは、廃棄するにあたって、可燃ごみ、不燃ごみとにそれぞれ分別する必要がある。
【００１０】
そこで、シュレッダーの処理済物収容部に、カッター機構部を通過してきた処理済の紙（文書などの書類）と、ＣＤやＤＶＤのような合成樹脂を主体として形成されている記録媒体とが混在している場合、廃棄にあたって、これらを分別する手間が必要になる。
【００１１】
本発明は、紙（文書などの書類）を裁断処理するとともに、ＣＤやＤＶＤのような合成樹脂を主体として形成されている記録媒体を、記録されていたデータを読み取り不可能、再生不可能な状態にして廃棄処理するという目的に応えるため、紙（文書などの書類）を裁断処理するカッター機構部と、ＣＤやＤＶＤのような合成樹脂を主体として形成されている記録媒体を、記録されていたデータを読み取り不可能、再生不可能な状態に処理するカッター機構部とを備えているシュレッダーにおいて、カッター機構部を通過してきた処理済の紙（文書などの書類）と、処理済のＣＤやＤＶＤなどを廃棄するにあたって分別する手間が不要になるシュレッダーを提案することを目的にしている。
【課題を解決するための手段】
【００１２】
前記課題を解決するため、この発明は、上側が開口している箱体の当該開口部に、第一のカッター機構と第二のカッター機構とがそれぞれ下側に配備されている第一の投入溝と第二の投入溝とが並列して備えられている蓋部材が装着されてなるシュレッダーであって、前記２つの投入溝の中の第一の投入溝は蓋部材の中央部側に設けられており、第二の投入溝及びその下側に配備されている第二のカッター機構の下側に、当該第二のカッター機構を通過してきた処理済物を収容する処理済物収容箱体が配備されているシュレッダーを提案するものである。
【００１３】
これによって、第一の投入溝及びその下側に配備されている第一のカッター機構を通過して裁断等の処理がなされた処理済物（例えば、裁断済の紙）は、箱体内に収容される一方、第二の投入溝及びその下側に配備されている第二のカッター機構を通過して裁断等の処理がなされた処理済物（例えば、表面を傷つける等して、記録されていたデータを読み取り不可能、再生不可能な状態に処理されたＣＤ、ＤＶＤ等の記録媒体）は、処理済物収容箱体内に収容される。
【００１４】
そこで、第二のカッター機構を通過してきた処理済のＣＤやＤＶＤなどは、処理済物収容箱体内から取り出して廃棄すればよく、一方、第一のカッター機構を通過してきた処理済の紙（文書などの書類）は、箱体内から取り出して廃棄すればよいので、カッター機構部を通過してきた処理済の紙（文書などの書類）と、処理済のＣＤやＤＶＤなどを、廃棄するにあたって分別する手間が不要になる。
【００１５】
前記本発明のシュレッダーにおいて、処理済物収容箱体の前記蓋部材において第二の投入溝が配備される側の側壁は、前記箱体において第二の投入溝が配備される側の側壁の一部を構成すると共に、当該処理済物収容箱体の側壁の上側の縁部が、当該側壁の下側の縁部を中心として、前記箱体において第二の投入溝が配備される側の側壁から離れる外側方向に向けて回動可能に、前記箱体において第二の投入溝が配備される側の側壁に取り付けられている形態にすることができる。
【００１６】
これによれば、処理済物収容箱体の前記蓋部材において第二の投入溝が配備される側の側壁を、その下側の縁部を中心として、その上側の縁部が前記箱体において第二の投入溝が配備される側の側壁から離れる外側方向に向けて回動させて開けることができ、こうして開けた開口部から、第二のカッター機構を通過してきた処理済のＣＤやＤＶＤなどを取り出すことができるので分別に便利になる。
【００１７】
また、前記いずれの本発明のシュレッダーにおいても、第一のカッター機構は処理対象物を裁断するカッター機構であり、第二のカッター機構は、処理対象物を裁断する及び／又は処理対象物の表面に傷をつけるカッター機構にすることができる。
【００１８】
ＣＤやＤＶＤは大きさが規格化されており、一般的には、直径１２ｃｍあるいは、直径８ｃｍとされている。これに対して、裁断処理される紙などの書類の大きさはＡ４サイズのものがほとんどであり、ＣＤやＤＶＤの一般的な直径の大きさよりは、横幅の大きいものになっている。
【００１９】
本発明のシュレッダーにおいては、下側に第一のカッター機構が配備されている第一の投入溝は蓋部材の中央部側に設けられており、処理済物収容箱体は、第二の投入溝及びその下側に配備されている第二のカッター機構の下側に、当該第二のカッター機構を通過してきた処理済物を収容するように配備されているので、処理済物収容箱体の大きさは、どんなに大きくしても、蓋部材の半分より少ない領域をカバーできるものでしかない。
【００２０】
また、紙などの書類は裁断処理することが望ましいが、ＣＤやＤＶＤなどは、廃棄処理にあたって、記録されていたデータを読み取り不可能、再生不可能な状態にすることが最低限要求されるものであるので、カッター機構によって、裁断される、表面が傷つけられる、裁断されると共に表面が傷つけられる処理の中のいずれかが施されれば十分である。
【００２１】
そこで、前述したように、どんなに大きくしても、蓋部材の半分より少ない領域をカバーできるものでしかない処理済物収容箱体が下側に配備される第二のカッター機構は、ＣＤやＤＶＤの大きさと、紙類の大きさとを考慮して、廃棄するＣＤやＤＶＤを処理する目的で、処理対象物を裁断する及び／又は処理対象物の表面に傷をつけるカッター機構にすることが望ましく、一方、蓋部材の中央側に配備される第一のカッター機構は、廃棄する紙類を裁断処理する目的で、処理対象物を裁断するカッター機構にしておくことが望ましい。
【発明の効果】
【００２２】
この発明によれば、紙（文書などの書類）を裁断処理するとともに、ＣＤやＤＶＤのような合成樹脂を主体として形成されている記録媒体を、記録されていたデータを読み取り不可能、再生不可能な状態にして廃棄処理するという目的に応えるため、紙（文書などの書類）を裁断処理するカッター機構部と、ＣＤやＤＶＤのような合成樹脂を主体として形成されている記録媒体を、記録されていたデータを読み取り不可能、再生不可能な状態に処理するカッター機構部とを備えているシュレッダーにおいて、カッター機構部を通過してきた処理済の紙（文書などの書類）と、処理済のＣＤやＤＶＤなどを廃棄するにあたって分別する手間を不要にすることができる。
【発明を実施するための最良の形態】
【００２３】
以下、添付図面を参照して本発明の好ましい実施形態を説明する。
【００２４】
図１はこの発明のシュレッダー１の斜視図であり、図２は図１図示のシュレッダーの内部構造を説明する縦断面図である。
【００２５】
この発明のシュレッダー１は、上側が開口している合成樹脂製の箱体２の当該開口部に蓋部材３が装着されているものである。
【００２６】
蓋部材３には、第一のカッター機構６と第二のカッター機構９とがそれぞれ下側に配備されている第一の投入溝１０と第二の投入溝１１ａとが並列して備えられている。
【００２７】
２つの投入溝１０、１１ａの中の第一の投入溝１０は蓋部材３の中央部側に設けられており、この第一の投入溝１０に並列している第二の投入溝１１ａは、図２図示のように、中央部から外れた端側に設けられることになる。図２では、図中、左側に配備されている。
【００２８】
第一の投入溝１０の下側に配備されている第一のカッター機構６は、不図示の電動モータによって、回転軸４ａ、５ａの周りで回転する円盤状カッター４ｂ、５ｂから構成されている。
【００２９】
第一のカッター機構６は処理対象物を裁断するカッター機構、すなわち、紙（文書などの書類）を裁断するカッター機構であり、図２図示のように、第一の投入溝１０に対して矢印２２方向から挿入される紙３０が、第一のカッター機構６によって裁断されて、裁断紙３１、３１となって、箱２の底部に落下する。
【００３０】
第二の投入溝１１ａの下側に配備されている第二のカッター機構９は、不図示の電動モータによって、回転軸７ａ、８ａの周りで回転する円盤状カッター７ｂ、８ｂから構成されている。
【００３１】
第二のカッター機構９は、処理対象物を裁断する及び／又は処理対象物の表面に傷をつけるカッター機構、すなわち、ＣＤやＤＶＤのような合成樹脂を主体として形成されている記録媒体を、記録されていたデータを読み取り不可能、再生不可能な状態にして廃棄処理するカッター機構であり、例えば、図２図示のように、第二の投入溝１１ａに対して矢印２３方向から挿入されるＣＤ３２が、第二のカッター機構９によって裁断され、あるいはＣＤ３２の表面が傷つけられ、もしくは、ＣＤ３２が裁断されるとともに表面が傷つけられる。これによって、第二のカッター機構９を通過したＣＤやＤＶＤに記録されていたデータは読み取り不可能、再生不可能になる。
【００３２】
本発明のシュレッダー１においては、第二の投入溝１１ａ及びその下側に配備されている第二のカッター機構９の下側に、第二のカッター機構９を通過してきた処理済物（すなわち、第二のカッター機構９によって裁断され、あるいは表面が傷つけられ、もしくは、裁断されるとともに表面が傷つけられたＣＤやＤＶＤ）を収容する処理済物収容箱体１２が配備されている。
【００３３】
図１、図２図示の実施形態においては、第二の投入溝１１ａは、通常、図１図示のように蓋体１７によって覆われている。そこで、蓋体１７を矢印２１方向に回動させて、第二の投入溝１１ａを露出させ、例えば、ＣＤ３２を、第二の投入溝１１ａに対して矢印２３方向から挿入する。
【００３４】
こうして、第二の投入溝１１ａに対して矢印２３方向から挿入されたＣＤ３２は、第二のカッター機構９によって、例えば、その表面が符号３４で表されるように傷つけられ、記録されていたデータが読み取り不可能、再生不可能になった処理後のＣＤ３３が、第二のカッター機構９の下側に配備されている溝１１ｂを通って、図２図示のように、処理済物収容箱体１２の中に落下する。
【００３５】
なお、第二のカッター機構９の下側の溝１１ｂは、配備しておかなくても、処理済物収容箱体１２は、図２図示のように、第二のカッター機構９の下側に配備されているので、第二の投入溝１１ａ、第二のカッター機構９を通過した処理済のＣＤ３３は、処理済物収容箱体１２内に落下する。
【００３６】
以上のように、本発明のシュレッダー１によれば、第一の投入溝１０及びその下側に配備されている第一のカッター機構６を通過して裁断等の処理がなされた処理済物（例えば、裁断紙３１）は、箱体２内に収容される。その一方、第二の投入溝１１ａ及びその下側に配備されている第二のカッター機構９を通過して裁断等の処理がなされた処理済物（例えば、表面を傷つける等して、記録されていたデータを読み取り不可能、再生不可能な状態に処理されたＣＤ、ＤＶＤ等の記録媒体）は、図２図示のように、箱体２内ではあるが、裁断紙３１が収容される部分とは区画されている処理済物収容箱体１２内に収容される。
【００３７】
そこで、蓋部材３を箱体２の上側の開口から取り外し、第二のカッター機構９を通過してきた処理済のＣＤ３３を処理済物収容箱体１２内から取り出して廃棄し、一方、第一のカッター機構６を通過してきた処理済の文書などの書類（裁断紙３１）は、箱体２内から取り出して廃棄すればよく、カッター機構部を通過してきた処理済の文書などの書類（裁断紙３１）（「可燃物」）と、処理済のＣＤ３３（合成樹脂を主体にして成形されている「不燃物」）とを、廃棄するにあたって分別する手間が不要になる。
【００３８】
なお、図示していないが、処理済物収容箱体１２は、箱体２において第二の投入溝１１ａが配備される側（図２中、右側）の側壁１４の内側に取り付け、取り外し可能にしておき、蓋部材３を箱体２の上側の開口から取り外した後、処理済物収容箱体１２を図２中、上側から抜きとって、側壁１４の内側から取り外すことにすれば、処理済物収容箱体１２内に収容されている処理済のＣＤ３３を簡単に廃棄することができる。その後、引き続いて、上側が開口している箱体２を天地逆転させる等して、箱体２内に収容されていた裁断紙３１を廃棄することができる。
【００３９】
本発明のシュレッダー１では、処理済物収容箱体１２の、蓋部材３において第二の投入溝１１ａが配備される側（図２中、右側）の側壁１３は、箱体２において第二の投入溝１１ａが配備される側（図２中、右側）の側壁１４の一部を構成している。そして、側壁１３は、処理済物収容箱体１２の側壁１３の上側の縁部１６が、側壁１３の下側の縁部１５を中心として側壁１４から離れる外側方向（図２中、矢印２０方向）に向けて回動可能に側壁１４に取り付けられている。
【００４０】
そこで、処理済物収容箱体１２の蓋部材３において第二の投入溝１１ａが配備される側の側壁１３は、その下側の縁部１５を中心として、その上側の縁部１６が箱体２の側壁１４から離れる外側方向に向けて、図２中、矢印２０方向に、回動させて開けることができる。そして、このようにして開けた開口部から、第二のカッター機構９を通過してきた処理済のＣＤ３３を取り出すことができる。
【００４１】
以上、本発明の好ましい実施形態、実施例を添付図面を参照して説明したが、本発明はかかる実施例、実施形態に限定されるものではなく、特許請求の範囲の記載から把握される技術的範囲において種々の形態に変更可能である。
【図面の簡単な説明】
【００４２】
【図１】本発明のシュレッダーの好ましい実施形態を表す斜視図。
【図２】図１図示のシュレッダーの縦断面図。
【符号の説明】
【００４３】
１  シュレッダー
２  箱体
３  蓋部材
６  第一のカッター機構
９  第二のカッター機構
１０  第一の投入溝
１１ａ  第二の投入溝
１２  処理済物収容箱体
１３  処理済物収容箱体の側壁
１４  箱体の側壁
１５  処理済物収容箱体の側壁の下側の縁部
１６  処理済物収容箱体の側壁の上側の縁部
１７  蓋体
３０  紙
３１  裁断紙
３２  ＣＤ
３３  処理後のＣＤ
３４  処理後のＣＤの表面
【図１】
2006167563.tif 000003
【図２】
2006167563.tif 000004